(57)【特許請求の範囲】
【請求項１】
読み取り対象から画像情報を担った光を伝達する伝達光学系と、伝達光学系からの光を受けるレンズ及びレンズ結像面に配置された光電変換素子により読み取り画像を電気信号に変換する受光部と、受光部を保持し該受光部を装置本体に取り付けるため装置本体にその長手方向両端が固定されたステー部材と、ステー部材に外部から加わる振動や衝撃によって起きる振動・揺れを抑制するため前記ステー部材に対して鉛直方向に負荷を与える質量部材とを備え、前記受光部を保持することにより偏倚されるステー部材の重心位置をステー部材の中心に移すために、前記質量部材を前記重心位置を移す方向に所定長さ延長した構造としたことを特徴とする画像読み取り装置。
【請求項２】
請求項１に記載された画像読み取り装置において、前記質量部材をステー部材に対し粘着層で結合したことを特徴とする画像読み取り装置。
【請求項３】
請求項１に記載された画像読み取り装置において、前記質量部材をステー部材に対し非拘束状態で支持する支持部材を設けたことを特徴とする画像読み取り装置。
【請求項４】
請求項１乃至３のいずれかに記載された画像読み取り装置を備えたことを特徴とする画像形成装置。
【発明の詳細な説明】
【０００１】
【発明の属する技術分野】
本発明は、原稿からイメージセンサにより画像データを読み取る画像読み取り装置（イメージスキャナ等）、及び該画像読み取り装置から出力される画像データをもとに画像を形成する画像形成装置（デジタル複写機、ファクシミリ等）に関し、より詳細には、受光部（レンズ、イメージセンサ等からなる読み取り画像の受光部）に外部から加わる振動や衝撃によって起きる振動・揺れを抑制することにより、読み取り画像の画質の向上を図るための手段を備えた前記画像読み取り装置及び画像形成装置に関する。
【０００２】
【従来の技術】
現在普及しているデジタル複写機、イメージスキャナ等に装備されている画像読み取り装置においては、原稿を露光走査し、原稿の走査部分の画像を伝達光学系を介して受光部（結像レンズ、イメージセンサ、センサ出力を処理する回路基板等からなり、通常ユニット化されている）で受け、光電変換する。
受光部は、装置に取り付ける場合に、取り付けベースとなるステー部材に対し受光部を構成する各要素を光学的に調整・保持し、このように構成した受光ブロック（以降、このステー部材を含む構成単位を受光ブロックと呼ぶ）を装置本体のフレームに取り付けるようにする方法が、普通に採用されている。
こうした構成の受光ブロックに装置本体フレームを介して外来の振動や衝撃が来た時に、ステー部材は細長い板部材であるから、両端の取り付け部を節とした上下方向の振動が起こりやすく、ステー部材の撓み振動に従い受光ブロックが揺動して、受光ブロックに取り付けられたイメージセンサと伝達されてくる原稿走査光との相対位置が変動し、センサ出力画像が乱れる不具合がある。
【０００３】
この不具合に対し、光学ブロック（ステー部材）に質量部材を取り付けることにより、振動・揺動を抑制することが提案されている。
図１６は、質量部材を付加した時の従来の受光ブロックの構成の一例を示す。図１６において、画像読み取り装置の本体フレーム１０に細長い板部材からなるステー部材９の両端を取り付け、ステー部材９の中央部にレンズ７，イメージセンサ８等からなる受光部を保持し、質量部材１４をステー部材９の受光部保持位置に固設している。なお、同図中の矢印は振動方向を示す。
図１６のように質量部材１４が付加されると、振動系としての特性が変更されて、質量部材１４無しで本体フレーム１０に受光ブロックだけを弾性支持した系に比べて振動周波数が下がる、振動振幅が若干減少するといった程度の振動の抑制効果が認められる。
また、画像読み取り装置の受光部の振動の抑制に関する他の従来例としては、受光部を取り付けた装置本体の台板が起こす共振現象による本体台板の振動（共振時の振幅）を低減させる手段を講じたものであり、この例では、本体台板に弾性部材を介して質量部材を固設して構成した吸振手段を用いるようにしたものである。
【０００４】
【発明が解決しようとする課題】
しかしながら、図１６に示すような細長い板部材であるステー部材９を用いる場合には、振動が起こりやすく振幅も大きくなるので、上述した従来法では、いずれも、より正確な読取画像を要求される近年の高画質化の流れの中では、制振としては不十分になってきている。
しかも、図１６の従来例では、図１６のＣ−Ｃ断面図を表す図１７に示すように、受光ブロックの重心は、同図中Ｇに示す位置になり、ステー部材９の中心からは偏った位置に存在している。この結果として、振動が支点（ステー部材９の両端部）を通る軸回りの回転（図１７中の矢印にて示す）が加わったモードの揺動になってしまい、質量部材１４の付加による制振を行っても、その効果が充分ではなく、センサ出力画像への影響を防ぐことができない。
本発明は、原稿からイメージセンサにより画像データを読み取る画像読み取り装置の受光部に外部から加わる振動や衝撃によって起きる振動・揺れの抑制に係わる上記した従来技術の問題点に鑑みなされたもので、その目的は、簡単な構造で、より確実に受光部に起きる振動・揺れを抑制（制振）する手段を、細長い板部材であるステー部材を用いて受光部を保持する場合にも適応し得る手段として備え、読み取り画像の画質の向上を図るようにした画像読み取り装置（例えば、イメージスキャナ等）及び該画像読み取り装置を備えた画像形成装置（デジタル複写機、ファクシミリ等）を提供することにある。
【０００５】
【課題を解決するための手段】
請求項１の発明は、読み取り対象から画像情報を担った光を伝達する伝達光学系と、伝達光学系からの光を受けるレンズ及びレンズ結像面に配置された光電変換素子により読み取り画像を電気信号に変換する受光部と、受光部を保持し該受光部を装置本体に取り付けるため装置本体にその長手方向両端が固定されたステー部材と、ステー部材に外部から加わる振動や衝撃によって起きる振動・揺れを抑制するため前記ステー部材に対して鉛直方向に負荷を与える質量部材とを備え、前記受光部を保持することにより偏倚されるステー部材の重心位置をステー部材の中心に移すために、前記質量部材を前記重心位置を移す方向に所定長さ延長した構造としたことを特徴とする画像読み取り装置である。
【０００６】
請求項２の発明は、請求項１に記載された画像読み取り装置において、前記質量部材をステー部材に対し粘着層で結合したことを特徴とするものである。
【０００７】
請求項３の発明は、請求項１に記載された画像読み取り装置において、前記質量部材をステー部材に対し非拘束状態で支持する支持部材を設けたことを特徴とするものである。
【０００８】
請求項４の発明は、請求項１乃至３のいずれかに記載された画像読み取り装置を備えたことを特徴とする画像形成装置である。
【００１６】
【発明の実施の形態】
本発明の画像読み取り装置及び画像形成装置を添付する図面とともに示す以下の実施例に基づき説明する。
下記に実施例として示す画像読み取り装置は、単体のイメージスキャナー等の読み取り装置として構成し得るが、原稿画像の読み取り出力を画像を形成するための書き込み信号等に利用して、画像を再生するデジタル複写機、ファクシミリ等の画像形成装置の読み取り部にも用いることが可能である。
そこで、先ず、本発明に係わる画像読み取り装置を読み取り部に装備した画像形成装置としてのＤＰＰＣ（Digital Plane Paper Copy-machine、所謂、デジタル複写機）について説明する。
図１は、本発明の実施例に係わるＤＰＰＣの構造を概略図として示す。
本実施例のＤＰＰＣの構造を図１を参照して説明すると、図示のＤＰＰＣは、大きくは自動原稿搬送装置（ＡＤＦ）３４と、画像読み取り装置３５と、画像形成部５０と、操作部（図示せず）とからなる。
ＡＤＦ３４は、原稿載置台３０と反転トレイ３１とＡＲＤＦ駆動モータ３２を備え、複写原稿を読み取り位置を経由して搬送・排紙する操作を行う。
画像読み取り装置３５は、キャリッジ上に露光ランプ６１とミラー群６２を備えた走査系６３と受光部（結像レンズ、受光素子としてのイメージセンサ、センサ出力を処理する回路基板等からなる）６０とスキャナ駆動モータ３３を備え、ＡＤＦ３４を用いて原稿を搬送するシートスルー方式と、プラテンに載置された原稿を走査するスキャナ移動方式の２方式に対応する読み取りを行う。
【００１７】
画像形成部５０は、転写紙を排紙する機内排紙部３６と、原稿画像データ等により駆動されるレーザダイオード３８からのレーザを反射するポリゴンモータ及びミラー３７と、レーザを発光するレーザダイオード３８と、レーザ書き込みによる静電潜像を形成する感光体ドラム３９と、レジストローラ４０と、転写紙を手差しで給紙する場合に開く手差しドア４１と、転写紙上のトナーを転写紙に定着させるための定着ユニット４２と、第１の給紙カセット４４及び第２の給紙カセット４５に格納された転写紙を給紙する給紙コロ４３と、転写紙を格納する第１の給紙カセット４４及び第２の給紙カセット４５と、給紙コロ４３により給紙された転写紙を搬送する搬送コロ４６と、排出転写紙を直接排出する際に開く排紙カバー４７と、排紙カバー４７もしくは機内排紙部３６のどちらかに転写紙の排出を切り換える切り替え手段４８と、転写紙を構内排紙部３６に搬送する搬送コロ４９とを備え、転写紙を操作し、画像形成を行う。
操作部は、ＤＰＰＣの種々の動作を設定するためにオペレータによるキー等の操作入力を受け付け、又機械の動作状態をオペレータに知らせる機能を果たす。
【００１８】
次に、本発明の画像読み取り装置に係わる実施例を説明する。なお、以下に示す実施例は、単体のイメージスキャナー等の読み取り装置として構成し得るが、上記したように、原稿画像の読み取り出力を画像を形成するための書き込み信号等に利用して、画像を再生するデジタル複写機、ファクシミリ等の画像形成装置の読み取り部に装備することが可能である。
図２は、本実施例の画像読み取り装置の構成の概略を示す図である。
図２において、１は読み取り原稿、２は原稿台としてのコンタクトガラス、Ｃ１は露光ランプ３と第１ミラー４を一体化して有し、読み取り走査を行う第１キヤリッジ、Ｃ２は第２ミラー５と第３ミラー６を一体化して有し、第１キャリッジＣ１からの原稿露光部の像を受光部に導く第２キャリッジである。
受光部は、結像レンズ７、受光素子としてのイメージセンサ８、センサ出力を処理する回路基板（図示せず）等からなり、取り付けベースとなるステー部材９に対し受光部を構成する各要素を光学的に調整・保持し、ステー部材９により装置本体のフレーム１０に取り付ける。なお、ステー部材９は、普通、長手方向の両端部を装置本体のフレーム１０に取り付け、短手方向を光学部の保持する幅とした細長い板状部材よりなる。
読み取り時に、第１キヤリッジＣ１を図示の矢印Ａ方向に移動させ、原稿を露光走査し、原稿露光部からの反射光を第１〜３ミラー４，５，６により受光部に伝達する。この時、光路長を一定にするように第２キヤリッジＣ２を図示の矢印Ａ方向に移動させる。走査された原稿露光部は、受光部の結像レンズ７により受光素子を有するイメージセンサ８の受光面に結像され、光電変換された後、画像信号として出力される。
【００１９】
このようにして行う読み取り走査の間、受光部は常に走査光に対して一定の位置で受光をしないと、正しい読み取りができない。ところが、受光部は、上記したように、細長い板状部材よりなるステー部材９に保持されているために、装置本体のフレーム１０を介して伝わってくる振動や衝撃の影響を受けやすい。
図３は、本発明に係わる画像読み取り装置の要部の実施例構成を示すもので、図２中に示した矢印の方向から見た図である。図示のように、この実施例においても、細長い板状部材よりなるステー部材９に受光部（結像レンズ７、イメージセンサ８等）を保持し、その長手方向の両端で装置本体のフレーム１０に取り付け、固定する。従って、この後に説明する制振手段を用いない場合には、上記した従来技術と同様に両端の取り付け部を節として上下方向の揺れ（振動）を生じ、受光部に取り付けられたイメージセンサと伝達されてくる原稿走査光との相対位置が変動し、センサ出力画像が乱れる。
【００２０】
そこで、本発明においては制振手段として、ステー部材に質量部材を備える。制振用の質量部材の付加は、従来においても、上述のように、ステー部材に直接、質量部材を取り付けるという方法により行われていたが、本発明では、質量部材を支持部材を介しステー部材に対し非拘束状態で支持するという方法を用いて、より効果的な制振を実現するものである。
以下に、かかる制振手段を備えた画像読み取り装置に係わる実施例を示す。
「実施例１」
本実施例は、図３に示すように、制振用の部材として、ステー部材９に対して鉛直方向に負荷を与える板材からなる質量部材１２を用いる。このとき、鉛直方向への負荷をステー部材９に対して与える以外に、負荷の作用をしないような構造により、質量部材１２をステー部材に対し非拘束状態で支持する。このために、ステー部材９に質量部材１２を鉛直下方から支持する支持部を設け、支持部を介してステー部材９に負荷を与える。
ここでは、支持部をステー部材９の下方に設けた先端にフランジ部を持つ複数のピン１１とする。ピン１１と質量部材１２の関係は、各ピンの位置に対応して、質量部材１２に穴を設け、この穴の直径をピンの円柱部分の直径よりも大きく（即ち、所謂“バカ穴”とする）、フランジ部の直径よりも小さくし、又、ピンの円柱部分の長さを質量部材１２の厚みより長く（即ち、ステー部材９の下面と接触しないように隙間を作る）する。このような関係にして、質量部材１２に設けた穴に挿通したピン１１の端部のフランジ部により質量部材１２を非拘束状態で支持する構造を実施する。
この構造によると、外来する振動や衝撃により受光部を保持したステー部材９が振動を開始し、上方に向けて撓み始めると、この時に振動を起こす上方に向く力に対して、ピン１１のフランジにより支持された質量部材１２が反力を与えるので、ステー部材９は変位しにくくなり、制振される。また、ステー部材９が下方に向けて戻る時には、質量部材１２による力が作用しないので、制振効果がより大きくなる。これにより、振動や衝撃によりステー部材９が振動することにより起きる、受光部と原稿走査光との相対位置の変動が小さくなり読み取り出力への影響を少なくすることが可能になる。
【００２１】
「実施例２」
本実施例は、上記実施例１に改良を加えたものであり、質量部材１２の支持を安定化させるための手段を施したものである。
図４は、本実施例に係わる画像読み取り装置の要部の実施例構成を示すもので、図３に示した質量部材１２の支持構造に相当する部分である。
図４に示すように、ピン１１のフランジ形状を穴に対して円錐形状とすることにより、ピンに対する穴位置、即ち質量部材１２の位置が常に所定位置に定まるので、質量による負荷条件等の設定条件に従う所期の安定した動作が実現される。
「実施例３」
実施例２と同様に、質量部材１２の支持構造に係わるが、本実施例では、さらに、質量部材１２の支持の安定度を高めるための手段を施したもので、円錐形状としたフランジの支持面に対応する質量部材１２の接合面を皿状として、両者が面で接合するようにしたものである。
図５は、本実施例に係わる画像読み取り装置の要部の実施例構成を示すもので、図３に示した質量部材１２の支持構造に相当する部分である。なお、図５において、（Ａ）は支持状態を示し、（Ｂ）は質量部材１２のみについて、穴部の断面を示す
図５に示すように、ピン１１のフランジ形状の穴に接する部分を円錐形状とするとともに、質量部材１２の穴も皿穴にすることにより、両者が面で接触するので、ピンに対する穴位置、即ち質量部材１２の位置が所定位置に確実に定まるので、動作の安定度がさらに高くなる。
【００２２】
「実施例４」
本実施例は、上記各実施例における質量部材１２の支持を安定化させるための手段にさらに改良を加えたものである。
図６は、本実施例に係わる画像読み取り装置の要部の実施例構成を示すもので、図３〜５に示した質量部材１２の支持構造に相当する部分である。
図６に示すように、ステー部材９から下方にフランジ部を持つピン１１を設け、ピン１１により質量部材１２を支持するが、ここでは、質量部材１２を支持するためのピン数を３とし、即ち、支持点を３箇所とする。支持点を３箇所とすることにより、質量部材１２は、３箇所のどのピン１１のフランジに対しても浮いてしまうようなことがなく、全点で接触、支持することになる。４箇所以上の支持点とすると、どこかが浮いて、振動が来た時に、そこがびりついて制振効果を損なうことになるが、３点支持の場合には、このようなびりつきを発生させることがない。
【００２３】
「実施例５」
本実施例は、上記各実施例の制振手段をより有効に機能させるための、質量部材１２の最適配置を示すものである。
図７は、本実施例に係わる画像読み取り装置の要部の実施例構成を示すもので、図３〜６に示した質量部材１２の支持構造に相当する部分の質量部材１２の配置に関する説明図である。
図７に示すように、ステー部材９の長手方向の両端部を節として起きるステー部材の振動は、通常１次振動となるため、その振動の腹となるステー部材９の長手方向の中心点、即ち両端部からの長さが等しくなる（Ｌ1≒Ｌ2）位置に、質量部材１２の中心点（ｌ1≒ｌ2）を配置させるように、ピン１１と質量部材１２の穴を設計する。
このようにすると、振動による変位が最大になる位置における振動を抑制することになるので、最大の効果を得ることが可能になる。
【００２４】
「実施例６」
本実施例は、上記各実施例の制振手段をより有効に機能させるための、質量部材１２として採用し得る最適な材料を示すものである。
質量部材１２の材料には、比重が大きい程、部材を小さくでき、又狭いスペースに設けることができるので、金属板材を用いる。金属板材の中でも、鉄鋼板、ステンレス鋼板などが、比重が比較的大きく流通性も良いため、同じ質量でも質量部材を小さく安価にできるので、適当である。
また、上記のように、質量部材１２に比重の大きい材料を用い、これをピン１１のフランジ部により非拘束状態で支持するので、輸送時に振動などでステー部材９やピン１１のフランジ部（通常、これらも金属などの硬い材料を用いている）とぶつかり合うと、両部材が損傷する虞があり、このようなことにならないようにすることが望ましい。
そこで、衝撃が緩和され、直接当たって損傷することを防止するための緩衝材を設けるようにする。図８は、この実施例を示すものである。同図に示すように、ステー部材９と質量部材１２の隙間に両部材が直接ぶつかり合わないように緩衝材１３を設けるが、緩衝材１３を設けても、ピン１１のフランジ部により質量部材１２を非拘束状態で支持するという条件が維持され、上記した制振機能を損なうことが無いようにする必要がある。
【００２５】
次に、ステー部材に制振用の質量部材を備えた画像読み取り装置に関する他の発明の実施例について説明する。
この発明は、図１７を参照して述べた従来例において、受光ブロックの重心がステー部材の中心から偏って存在する結果として、回転が加わった振動モードの揺動が起きてしまい、制振機能が有効に働かないという問題点を解決するものであり、受光部により偏倚されたステー部材（受光ブロック）の重心位置をステー部材の中心にシフトさせるための要素としても、制振用の質量部材を利用するようにしたものである。
以下に、かかる制振手段を備えた画像読み取り装置に係わる実施例を示す。
「実施例７」
図９は、質量部材により重心をシフトさせた本実施例の構成を示すものである。なお、本実施例は、上記した実施例１〜６の画像読み取り装置の質量部材に適用した例であり、従って、図９は図３のＣ−Ｃ断面を示す。
本実施例では、図９に示すように、本発明の適用以前の重心位置Ｇｂを適用後にＧａにシフトさせるために、質量部材１１の形状を変更している。
即ち、細長い板状部材よりなるステー部材９の短手方向における元の重心位置Ｇｂと反対方向（図中、矢印にて示す）に質量部材１１を延長する構造としている。この構造により、ステー部材（受光ブロック）９のシフト後の重心位置Ｇａをステー部材９のほぼ中心位置と一致させることができるので、回転が加わった振動モードの揺動が起きることがなく、上記実施例１において説明した動作による制振機能を最適化することが可能になる。
【００２６】
図１５は、実施例７の画像読み取り装置における制振手段の効果を確認するために行ったテスト結果を示す線図である。
図１５に示す線図の横軸は、時間(sec)、縦軸は加速度(m/sec2)であり、（Ａ）は制振手段を設けない画像読み取り装置の結果であり、（Ｂ）は実施例７の制振手段を設けた画像読み取り装置の結果を示す。なお、質量部材１１の支持条件は、３点支持（図６参照）で、ステー部材９の中央部に設ける（図７参照）。
図１５（Ａ）、（Ｂ）いずれも、図中に“衝撃到来時”として示されるタイミングで衝撃が加わった場合に起きる振動を計測したものである。衝撃は、ここでは第１，第２キャリッジＣ１，Ｃ２を駆動して読み取り動作を行ったときに、クラッチの切換時等に発生し装置本体フレームを介して伝達されてくるものである。
図１５（Ａ）、（Ｂ）を対比すると分かるように、（Ａ）に示す衝撃後に生じた振動・揺れが、（Ｂ）に示すように低減し、抑制効果が確認できる。また、この時、同時にイメージセンサ８の出力を画像出力した結果によると、制振手段を設けない時に生じていた振動によって生じた出力画像上の周期的な縞模様を制振手段を設けた時には、全く認識できなかった。
【００２７】
「実施例８」
本実施例は、上記実施例７に改良を加えたものであり、質量部材１２の支持を安定化させるための手段を施したものである。
図１０は、本実施例に係わる画像読み取り装置の要部の実施例構成を示すもので、図９に示した質量部材１２の支持構造に相当する部分である。
図９に示すように、ピン１１のフランジ形状を穴に対して円錐形状とすることにより、ピンに対する穴位置、即ち質量部材１２の位置が常に所定位置に定まるので、質量による負荷条件等の設定条件に従う所期の安定した動作が実現される。
「実施例９」
実施例８と同様、質量部材１２の支持構造に係わるが、本実施例では、さらに、質量部材１２の支持の安定度を高めるための手段を施したもので、円錐形状としたフランジの支持面に対応する質量部材１２の接合面を皿状として、両者が面で接合するようにしたものである。
図５は、本実施例に係わる画像読み取り装置の要部の実施例構成を示すもので、図９に示した質量部材１２の支持構造に相当する部分である。なお、図５において、（Ａ）は支持状態を示し、（Ｂ）は質量部材１２のみについて、穴部の断面を示す
図５に示すように、ピン１１のフランジ形状の穴に接する部分を円錐形状とするとともに、質量部材１２の穴も皿穴にすることにより、両者が面で接触するので、ピンに対する穴位置、即ち質量部材１２の位置が所定位置に確実に定まるので、動作の安定度がさらに高くなる。
【００２８】
「実施例１０」
本実施例は、実施例７，８，９の各実施例における質量部材１２の支持を安定化させるための手段にさらに改良を加えたものである。
図６は、本実施例に係わる画像読み取り装置の要部の実施例構成を示すもので、図９，１０，５に示した質量部材１２の支持構造に相当する部分である。
図６に示すように、ステー部材９から下方にフランジ部を持つピン１１を設け、ピン１１により質量部材１２を支持するが、ここでは、質量部材１２を支持するためのピン数を３とし、即ち、支持点を３箇所とする。支持点を３箇所とすることにより、質量部材１２は、３箇所のどのピン１１のフランジに対しても浮いてしまうようなことがなく、全点で接触、支持することになる。４箇所以上の支持点とすると、どこかが浮いて、振動が来た時に、そこがびりついて制振効果を損なうことになるが、３点支持の場合には、このようなびりつきを発生させることがない。
【００２９】
「実施例１１」
本実施例は、実施例７〜１０の各実施例の制振手段をより有効に機能させるための、質量部材１２の最適配置を示すものである。
図７は、本実施例に係わる画像読み取り装置の要部の実施例構成を示すもので、図９，１０，５，６に示した質量部材１２の支持構造に相当する部分である。
図７に示すように、ステー部材９の長手方向の両端部を節として起きるステー部材の振動は、通常１次振動となるため、その振動の腹となるステー部材９の長手方向の中心点、即ち両端部からの長さが等しくなる（Ｌ1≒Ｌ2）位置に、質量部材１２の中心点（ｌ1≒ｌ2）を配置させるように、ピン１１と質量部材１２の穴を設計する。
このようにすると、振動による変位が最大になる位置における振動を抑制することになるので、最大の効果を得ることが可能になる。
【００３０】
「実施例１２」
本実施例は、実施例７〜１１の各実施例の制振手段をより有効に機能させるための、質量部材１２として採用し得る最適な材料を示すものである。
質量部材１２の材料には、比重が大きい程、部材を小さくでき、又狭い空間に設けることもできるので、金属板材を用いる。金属板材の中でも、鉄鋼板、ステンレス鋼板などが、比重が比較的大きく流通性も良いため、同じ質量でも質量部材を小さく安価にできるので、適当である。
また、上記のように、質量部材１２に比重の大きい材料を用い、これをピン１１のフランジ部により非拘束状態で支持するので、輸送時に振動などでステー部材９やピン１１のフランジ部（通常、これらも金属などの硬い材料を用いている）とぶつかり合うと、両部材が損傷する虞があり、このようなことにならないようにすることが望ましい。
そこで、衝撃が緩和され、直接当たって損傷することを防止するための緩衝材を設けるようにする。図１１は、この実施例を示すものである。同図に示すように、ステー部材９と質量部材１２の隙間に両部材が直接ぶつかり合わないように緩衝材１３を設けるが、緩衝材１３を設けても、ピン１１のフランジ部により質量部材１２を非拘束状態で支持するという条件が維持され、上記した制振機能を損なうことが無いようにする必要がある。
【００３１】
次に、受光部により偏倚されたステー部材（受光ブロック）の重心位置をステー部材の中心にシフトさせるための要素として制振用の質量部材を利用するようにした制振手段を備えた画像読み取り装置に係わる他の実施例を示す。
本実施例では、重心位置をシフトさせるための方法としては、基本的には実施例７に示したと同じ方法を用いるが、質量部材の支持方法が異なり、ここでは、粘着層により質量部材１２を支持する方法を採用する。
「実施例１３」
図１２は、質量部材により重心をシフトさせた本実施例の構成を示すものである。
本実施例は、図１２に示すように、板材からなる質量部材１２を用い、ステー部材９の下面から粘着層１１’により質量部材１２を支持し、粘着層を介して鉛直方向へ働く質量部材１２による負荷をステー部材９に対して与える。なお、粘着層に代えてゴムや発泡体などで接着支持しても良い。
この構造によると、外来する振動や衝撃により受光部を保持したステー部材９が振動を開始し、上方に向けて撓むような振動を起こすが、この時に振動を起こす上方に向く力に対して、粘着層１１’により支持された質量部材１２が反力を与えるので、ステー部材９は変位しにくくなり、制振される。また、ステー部材９が下方に向けて戻る時にも、質量部材１２が粘着層１１’を介して反力を作用させるので、有効に制振機能が働くことになる。
このとき、図１に示すように、細長い板状部材よりなるステー部材９の短手方向における元の重心位置Ｇｂと反対方向（図中、矢印にて示す）に質量部材１１を延長する構造としている。この構造により、ステー部材（受光ブロック）９のシフト後の重心位置Ｇａをステー部材９のほぼ中心位置と一致させることができるので、回転が加わった振動モードの揺動が起きることがなく、制振機能を最適化することが可能になる。
このようにして、振動や衝撃によりステー部材９が振動することにより起きる、受光部と原稿走査光との相対位置の変動が小さくなり読み取り出力への影響を少なくすることが可能になる。
【００３２】
「実施例１４」
本実施例は、上記実施例１３の制振手段をより有効に機能させるための、質量部材１２の最適配置を示すものである。
図１３は、本実施例に係わる画像読み取り装置の要部の実施例構成を示すもので、図１２に示した質量部材１２の支持構造に相当する部分である。
図１３に示すように、ステー部材９の長手方向の両端部を節として起きるステー部材の振動は、通常１次振動となるため、その振動の腹となるステー部材９の長手方向の中心点、即ち両端部からの長さが等しくなる（Ｌ1≒Ｌ2）位置に、質量部材１２の中心点（ｌ1≒ｌ2）を配置させるように、粘着層１１’による支持位置を設計する。
このようにすると、振動による変位が最大になる位置における振動を抑制することになるので、最大の効果を得ることが可能になる。
【００３３】
「実施例１５」
本実施例は、上記実施例１３，１４の制振手段をより有効に機能させるための、質量部材１２として採用し得る最適な材料を示すものである。
質量部材１２の材料には、比重が大きい程、部材を小さくでき、又狭い空間に設けることもできるので、金属板材を用いる。金属板材の中でも、鉄鋼板、ステンレス鋼板などが、比重が比較的大きく流通性も良いため、同じ質量でも質量部材を小さく安価にできるので、適当である。
また、上記のように、質量部材１２に比重の大きい材料を用い、これを粘着層１１’により支持するので、輸送時に振動などでステー部材９から質量部材１２が落下し、質量部材１２が他の部材とぶつかり合うと、両部材が損傷する虞があり、このようなことにならないようにすることが望ましい。
そこで、質量部材１２の落下防止用の手段を備える。この手段は、図１４に示すように、質量部材１２の落下防止用のフランジ付きのピン１３をステー部材９と、質量部材１２とフランジとの間にさらに緩衝材１４を設けるようにする。
【００３４】
【発明の効果】
（１）請求項１の発明に対応する効果
偏倚した光学ブロック（受光部を保持したステー部材）の重心位置をステー部材の中心へシフトさせるために、制振用の質量部材を可変要素として利用するようにしたことにより、構成要素を増やすことなく制振機能が有効に働かない振動モード（回転が加わったモード）の揺動を防止することができるようにしたので、有効に読み取り画像の乱れを低減し画質の向上を図ることが可能になる。
（２）請求項２の発明に対応する効果
質量部材をステー部材に対し粘着層で結合したことにより、簡単な構成により制振効果を高めることが可能になる。
（３）請求項３の発明に対応する効果
質量部材をステー部材に対し非拘束状態で支持したことにより、振動を抑制する以外に不要な負荷をステー部材に及ぼすことなく、簡単な構成により制振効果を高めることが可能になる。
（４）請求項４の発明に対応する効果
請求項１〜３記載の画像読み取り装置を備えた複写機、ファクシミリ、マルチファンクション機等の画像形成装置おいて、上記（１）〜（３）の効果を実現することにより、画像形成装置の性能を向上させることが可能になる。
【図面の簡単な説明】
【図１】  本発明の実施例に係わるＤＰＰＣの構造を概略図として示す。
【図２】  本発明による画像読み取り装置の実施例構成の概略を示す。
【図３】  図２に示した画像読み取り装置における、制振手段を含む要部構成を示す。
【図４】  図３の画像読み取り装置に示した質量部材の支持構造に相当する部分の実施例を示す。
【図５】  図３の画像読み取り装置に示した質量部材の支持構造に相当する部分の他の実施例を示す。
【図６】  図３〜５の画像読み取り装置に示した質量部材の支持構造に相当する部分の支持箇所に関する実施例を示す。
【図７】  図３〜６の画像読み取り装置に示した質量部材の支持構造に相当する部分の質量部材の配置に関する実施例を示す。
【図８】  図３〜７の画像読み取り装置に示した質量部材の支持構造に相当する部分に設けた緩衝材に関する実施例を示す。
【図９】  図２に示した画像読み取り装置の要部で、質量部材により重心をシフトさせるようにした制振手段を含む構成（図３のＣ−Ｃ断面）を示す。
【図１０】  図９の画像読み取り装置に示した質量部材の支持構造に相当する部分の実施例を示す。
【図１１】  図９，１０の画像読み取り装置に示した質量部材の支持構造に相当する部分に設けた緩衝材に関する実施例を示す。
【図１２】  図９と同様に、質量部材により重心をシフトさせるもので、粘着層により質量部材を支持する方法を採用した実施例を示す。
【図１３】  図１２の画像読み取り装置に示した質量部材の支持構造に相当する部分の質量部材の配置に関する実施例を示す。
【図１４】  図１２，１３の画像読み取り装置に示した質量部材の支持構造に相当する部分に設けた緩衝材に関する実施例を示す。
【図１５】  図９の画像読み取り装置における制振手段の効果を確認するために行ったテスト結果を示す線図である。
【図１６】  質量部材を付加した時の従来の受光ブロック（受光部を保持したステー部材）の構成の一例を示す。
【図１７】  図１６に示した画像読み取り装置の要部（図１６のＣ−Ｃ断面）を示し、受光ブロックの重心位置と揺動を説明するための図である。
【符号の説明】
１…原稿、                          ２…コンタクトガラス、
Ｃ１…第１キャリッジ、              Ｃ２…第２キャリッジ、
３，６１…露光ランプ、              ４…第１ミラー、
５…第２ミラー、                    ６…第３ミラー、
７…結像レンズ、                    ８…受光素子（イメージセンサ）、
９…ステー部材、                  １０…装置本体のフレーム、
１１…支持ピン、                  １１′…粘着層、
１２…質量部材、              １３，１４…緩衝材。
【図１】
0004079343.tif 000002
【図２】
0004079343.tif 000003
【図３】
0004079343.tif 000004
【図４】
0004079343.tif 000005
【図５】
0004079343.tif 000006
【図６】
0004079343.tif 000007
【図７】
0004079343.tif 000008
【図８】
0004079343.tif 000009
【図９】
0004079343.tif 000010
【図１０】
0004079343.tif 000011
【図１１】
0004079343.tif 000012
【図１２】
0004079343.tif 000013
【図１３】
0004079343.tif 000014
【図１４】
0004079343.tif 000015
【図１５】
0004079343.tif 000016
【図１６】
0004079343.tif 000017
【図１７】
0004079343.tif 000018